(57)【要約】【課題】発着信時の相手先電話番号をユーザの選択により重複して登録するか更新するかの切替ができる通信端末装置を提供する。【解決手段】着信履歴記憶メモリ１３を備え、着信時に着呼の着信履歴を登録又は更新する通信端末装置において、着信履歴記憶メモリ１３に登録された電話番号と同一の電話番号での着呼があったとき、この着呼を重複して着信履歴記憶メモリ１３に登録することの可否の設定を行う切替処理部１８を設け、着信時に着呼の着信履歴を一時的に格納する着呼一時記憶メモリ１１に格納された相手先電話番号と、着信履歴記憶メモリ１３に登録された電話番号とを比較し、一致する電話番号がある場合、切替処理部１８の設定が可のときには着呼一時記憶メモリ１１に格納された相手先電話番号を読出して着信履歴記憶メモリ１３に重複して登録し、設定が否のときには着信履歴記憶メモリ１３の一致する電話番号の着信時刻を更新する。【選択図】図１
2008067417.tif 000002
【特許請求の範囲】
【請求項１】
受信履歴記憶メモリを備える通信端末装置において、
受信した相手先識別符号を一時的に格納する一時記憶メモリと、
前記一時記憶メモリに格納された前記相手先識別符号と、前記受信履歴記憶メモリに登録された相手先識別符号とを比較し、一致する相手先識別符号があるかどうかを判定する識別符号比較部と、
前記判定結果に応じて、受信した相手先識別符号を前記受信履歴記憶メモリに登録するメモリ処理部と、
を備え、
識別符号比較部が、前記受信履歴記憶メモリに登録された相手先識別符号と、受信した相手先識別符号とが同じであると判定した場合には、
前記メモリ処理部は前記一時記憶メモリに格納された相手先識別符号を重複して前記受信履歴記憶メモリに登録しないことを特徴とする通信端末装置。
【請求項２】
前記識別符号比較部による判定の結果、前記一時記憶メモリに格納された相手先識別符号と一致する相手先識別符号が前記受信履歴記憶メモリに登録されていると判定された場合に、受信した相手先識別符号を前記受信履歴記憶メモリに重複して登録するかどうか設定する登録設定部と、
前記着信履歴記憶メモリの使用量または残量を検出するメモリ容量検出部と、
を備え、
前記登録設定部が、重複して登録する設定である場合に、前記メモリ容量検出部によるメモリ容量の検出の結果、着信履歴記憶メモリの使用量が所定値を超えるかまたは着信履歴記憶メモリの残量が所定値より少ない場合には、
前記メモリ処理部は前記一時記憶メモリに格納された相手先識別符号を重複して前記受信履歴記憶メモリに登録しないことを特徴とする請求項１に記載の通信端末装置。
【請求項３】
発信履歴記憶メモリを備える通信端末装置において、
発信した相手先識別符号を一時的に格納する一時記憶メモリと、
前記一時記憶メモリに格納された前記相手先識別符号と、前記発信履歴記憶メモリに登録された相手先識別符号とを比較し、一致する相手先識別符号があるかどうかを判定する識別符号比較部と、
前記判定結果に応じて、発信した相手先識別符号を前記発信履歴記憶メモリに登録するメモリ処理部と、
を備え、
前記識別符号比較部が、前記発信履歴記憶メモリに登録された相手先識別符号と、発信した相手先識別符号とが同じであると判定した場合には、
前記メモリ処理部は前記一時記憶メモリに格納された相手先識別符号を重複して前記発信履歴記憶メモリに登録しないことを特徴とする通信端末装置。
【請求項４】
前記識別符号比較部による判定の結果、前記一時記憶メモリに格納された相手先識別符号と一致する相手先識別符号が前記発信履歴記憶メモリに登録されていると判定された場合に、発信した相手先識別符号を前記発信履歴記憶メモリに重複して登録するかどうか設定する登録設定部と、
前記発信履歴記憶メモリの使用量または残量を検出するメモリ容量検出部と、
を備え、
前記登録設定部が、重複して登録する設定である場合に、前記メモリ容量検出部によるメモリ容量の検出の結果、前記発信履歴記憶メモリの使用量が所定値を超えるかまたは前記発信履歴記憶メモリの残量が所定値より少ない場合には、
前記メモリ処理部は前記一時記憶メモリに格納された相手先識別符号を重複して前記発信履歴記憶メモリに登録しないことを特徴とする請求項３に記載の通信端末装置。
【発明の詳細な説明】
【技術分野】
【０００１】
本発明は通信端末装置に係り、特に着信履歴や発信履歴の使い勝手のよい通信端末装置に関する。
【背景技術】
【０００２】
携帯電話機等の通信端末装置には、受発信した相手方の電話番号を内蔵メモリ内に登録する着信履歴あるいは発信履歴の登録機能が備わっている。
【０００３】
従来の通信端末装置の着信履歴の登録方法としてはすべての着信に対して相手先の電話番号を保存する方法が知られている。
【０００４】
このような保存方法では、同一の相手先から電話があった場合でも同一の電話番号が着信履歴内に保存され重複した登録が行われる。
【０００５】
また、発信時にも発信履歴記憶メモリを備え、発信時の相手先の電話番号を発信履歴として登録するように構成されたものがある。
【０００６】
しかし、発信時には着信時と異なり同一番号の発信に対しては発信履歴の重複登録は行わず時刻更新のみを行うのが普通である。
【０００７】
このように発信時には同一番号が発信履歴内に保存されないため発信履歴総件数は増加しない。
【発明の開示】
【発明が解決しようとする課題】
【０００８】
このように従来の通信端末装置において、着信に対して相手先の電話番号を着信毎に着信履歴内に登録する方法を用いると、同一の電話番号が重複して登録されることになりメモリの負荷が重くなる。
【０００９】
一方、発信の相手方の電話番号が発信毎に発信履歴内に保存されないと、最新の発信時刻のみしか履歴内に残っていないため、相手先に何回電話をかけたのか分からないという不便もある。
【００１０】
本発明は上述した事情に鑑みてなされたもので、ユーザの使い勝手に応じて同一の相手先の電話番号を着信履歴あるいは発信履歴内に重複して登録するか否かを選択することのできる通信端末装置を提供することを目的とする。
【課題を解決するための手段】
【００１１】
上記目的を達成するための本発明の通信端末装置は、受信履歴記憶メモリを備える通信端末装置において、受信した相手先識別符号を一時的に格納する一時記憶メモリと、前記一時記憶メモリに格納された前記相手先識別符号と、前記受信履歴記憶メモリに登録された相手先識別符号とを比較し、一致する相手先識別符号があるかどうかを判定する識別符号比較部と、前記判定結果に応じて、受信した相手先識別符号を前記受信履歴記憶メモリに登録するメモリ処理部とを備え、識別符号比較部が、前記受信履歴記憶メモリに登録された相手先識別符号と、受信した相手先識別符号とが同じであると判定した場合には、前記メモリ処理部は前記一時記憶メモリに格納された相手先識別符号を重複して前記受信履歴記憶メモリに登録しないことを特徴とする。
【００１２】
また、前記識別符号比較部による判定の結果、前記一時記憶メモリに格納された相手先識別符号と一致する相手先識別符号が前記受信履歴記憶メモリに登録されていると判定された場合に、受信した相手先識別符号を前記受信履歴記憶メモリに重複して登録するかどうか設定する登録設定部と、前記着信履歴記憶メモリの使用量または残量を検出するメモリ容量検出部とを備え、前記登録設定部が、重複して登録する設定である場合に、前記メモリ容量検出部によるメモリ容量の検出の結果、着信履歴記憶メモリの使用量が所定値を超えるかまたは着信履歴記憶メモリの残量が所定値より少ない場合には、前記メモリ処理部は前記一時記憶メモリに格納された相手先識別符号を重複して前記受信履歴記憶メモリに登録しないこととしてもよい。  
また、本発明の通信端末装置は、発信履歴記憶メモリを備える通信端末装置において、発信した相手先識別符号を一時的に格納する一時記憶メモリと、前記一時記憶メモリに格納された前記相手先識別符号と、前記発信履歴記憶メモリに登録された相手先識別符号とを比較し、一致する相手先識別符号があるかどうかを判定する識別符号比較部と、前記判定結果に応じて、発信した相手先識別符号を前記発信履歴記憶メモリに登録するメモリ処理部とを備え、前記識別符号比較部が、前記発信履歴記憶メモリに登録された相手先識別符号と、発信した相手先識別符号とが同じであると判定した場合には、前記メモリ処理部は前記一時記憶メモリに格納された相手先識別符号を重複して前記発信履歴記憶メモリに登録しないことを特徴とする。
【００１３】
さらに、前記識別符号比較部による判定の結果、前記一時記憶メモリに格納された相手先識別符号と一致する相手先識別符号が前記発信履歴記憶メモリに登録されていると判定された場合に、発信した相手先識別符号を前記発信履歴記憶メモリに重複して登録するかどうか設定する登録設定部と、前記発信履歴記憶メモリの使用量または残量を検出するメモリ容量検出部とを備え、前記登録設定部が、重複して登録する設定である場合に、前記メモリ容量検出部によるメモリ容量の検出の結果、前記発信履歴記憶メモリの使用量が所定値を超えるかまたは前記発信履歴記憶メモリの残量が所定値より少ない場合には、前記メモリ処理部は前記一時記憶メモリに格納された相手先識別符号を重複して前記発信履歴記憶メモリに登録しないこととしてもよい。
【発明の効果】
【００１４】
本発明では同一の通信相手先の電話番号を重複して登録するか否かの設定をユーザの使い勝手に応じて切り替えて使用することができるため、使い勝手のよい通信端末装置を提供することができる。
【発明を実施するための最良の形態】
【００１５】
図１は本発明に係る通信端末装置における着信履歴保存部の構成を示すブロック図である。着信時の着信履歴は着信履歴記憶メモリ１３に格納されている。図に示す例では２つの電話番号が着信履歴記憶メモリ１３内に登録されて記憶されている。
【００１６】
本発明ではこの着信履歴記憶メモリ１３内に登録されている電話番号と同一の相手先からの電話があった場合に、その同一の電話番号を重複して着信履歴記憶メモリ１３に登録するか否かを予めユーザの使い勝手に応じて設定することができる。この設定は着信履歴用の切替処理部１８により行われ、予めキー入力部などを使用してその操作を行う。重複登録することの可否は設定記憶メモリ１２に設定される。
【００１７】
着信が発生した場合、無線部１６で着信を認識し、相手電話番号解析処理部１５によって受信した相手先の電話番号を解析し、相手電話番号記憶処理部１４を介して着信時相手電話番号一時記憶メモリ１１に着信時の相手先電話番号を一時的に記憶する。
【００１８】
図１に示す例では着信履歴記憶メモリ１３に登録されている電話番号と同一の電話番号が着信時相手電話番号一時記憶メモリ１１内に格納されている。
【００１９】
次に、電話番号比較処理部１７は着信時相手電話番号一時記憶メモリ１１内に一時保存された電話番号が着信履歴記憶メモリ１３内に登録されている電話番号と一致するか否かを比較する。
【００２０】
この時一致する電話番号がなかった場合には着信履歴保存処理部１９は着信時相手電話番号一時記憶メモリ１１に一時記憶された相手先電話番号を着信履歴記憶メモリ１３に登録して保存する。
【００２１】
図１に示す例のように一致する電話番号があった場合には設定記憶メモリ１２内の設定内容を確認する。
【００２２】
すなわち重複して設定することの可否を電話番号比較処理部１７が設定記憶メモリ１２の設定内容から判断する。
【００２３】
なお、この判断は、電話番号比較処理部１７とは別に設定記憶メモリ内データ判定処理部を別途追加して行うようにしてもよい。
【００２４】
設定可の時には着信時相手電話番号一時記憶メモリ１１内の相手先電話番号を重複して着信履歴記憶メモリ１３内に登録する。
【００２５】
この場合、同一の電話番号が着信履歴記憶メモリ１３内に重複して存在することになる。
【００２６】
また、設定記憶メモリ１２が同一の電話番号の重複登録を否とする設定を行っている場合には着信履歴記憶メモリ１３の更新を行う。
【００２７】
すなわち着信時刻を更新し同一電話番号は重複して登録しない。
【００２８】
図２は本発明の他の実施の形態を示すブロック図で発信時の履歴保存部の構成を示したブロック図である。
【００２９】
発信時相手先電話番号一時記憶メモリ２１、設定記憶メモリ２２、発信履歴記憶メモリ２３、発信電話番号記憶処理部２４、発信電話番号解析処理部２５、発信操作処理部２６、電話番号比較処理部２７、切替処理部２８及び発信履歴保存処理部２９はそれぞれ図１に示す番号１１〜１９に対応しており、その動作も着信と発信とを入替えれば同一であるため詳細説明は省略する。
【００３０】
すなわち図２に示す例では発信時に同一の相手先の電話番号を重複して発信履歴記憶メモリ２３に登録するか否かの操作が行われる。
【００３１】
発信履歴記憶メモリ２３に重複して電話番号を登録するか、あるいは時刻のみの更新をするかの処理が終わった後は発信処理部３０が無線部３１を介して発信動作を行う。
【００３２】
図３は図１に示す通信端末装置の着信時の動作を説明するためのフローチャートである。
【００３３】
無線部１６により着信を検出すると（ステップ３０１）、相手電話番号解析処理部１５、相手電話番号処理部１４及び着信時相手電話番号一時記憶メモリ１１により着信の相手電話番号を解析し、これを一時保存する（ステップ３０２）。
【００３４】
次いで電話番号比較処理部１７により着信履歴記憶メモリ１３内に同一の電話番号があるか否かを判断する（ステップ３０３）。
【００３５】
着信履歴記憶メモリ１３内に登録されていない場合には着信相手の電話番号を着信時刻とともに保存する。
【００３６】
これにより着信履歴総件数は１件増加する（ステップ３０５）。
【００３７】
同一の番号がすでに登録されていた場合には、これを重複して着信履歴記憶メモリ１３に保存する設定がされているか否かを電話番号比較処理部１７が設定記憶メモリ１２の設定内容から確認する。
【００３８】
設定が行われている場合にはステップ３０５により同一の電話番号を着信履歴記憶メモリ２３に今回の着信時刻とともに別途登録を行う。
【００３９】
設定がされていない場合には着信履歴記憶メモリ１３の着信履歴を更新する。
【００４０】
すなわち着信時刻の更新を行う。
【００４１】
これにより着信履歴記憶メモリ１３内の登録件数は変化することはない（ステップ３０６）。
【００４２】
このような着信処理を着信履歴保存処理部１９で行った後、着信処理を継続する（ステップ３０７）。
【００４３】
図４は図２に示す通信端末装置における発信処理操作を説明するためのフローチャートである。
【００４４】
発信処理操作部２６により発信処理が行われた場合（ステップ４０１）、発信電話番号解析処理部２５、発信電話番号記憶処理部２４及び発信時相手電話番号一時記憶メモリ２１により発信相手先電話番号を解析保存する（ステップ４０２）。
【００４５】
次いで電話番号比較処理部２７により、発信履歴記憶メモリ２３内に発信時相手電話番号一時記憶メモリ２１に記憶されている相手先の電話番号と同一の電話番号の登録が行われているか否かの検出が行われる（ステップ４０３）。
【００４６】
発信履歴記憶メモリ２３に同一の電話番号の登録が行われていない場合には、これを発信履歴記憶メモリ２３に発信時刻とともに登録する。
【００４７】
これにより発信履歴総件数が１件増加する（ステップ４０５）。
【００４８】
一方、発信履歴記憶メモリ２３内に同一の電話番号が存在する場合には、設定記憶メモリ２２に同一の電話番号を発信履歴に保存する設定が行われているか否かの判定を行う（ステップ４０４）。
【００４９】
設定が行われている場合には、発信履歴保存処理部２９は同一の電話番号を発信履歴記憶メモリ２３に今回の発信時刻とともに別途登録保存する（ステップ４０５）。
【００５０】
設定記憶メモリ２２に設定が行われていない場合には、発信履歴保存処理部２９は発信相手電話番号を発信履歴記憶メモリ２３に更新する。
【００５１】
すなわち発信時刻の更新を行い電話番号は重複して登録しない。
【００５２】
これにより発信履歴総件数の変化は生じない（ステップ４０６）。
【００５３】
このような処理が終了した後、発信処理部３０及び無線部３１を介して発信処理が行われる（ステップ４０７）。
【００５４】
なお、着信履歴記憶メモリ１３の着信履歴件数検出部もしくはメモリ残量検出部を設け、着信履歴件数やメモリ残量に応じ設定記憶メモリ１２の可否の設定を自動切り替えするようにしてもよい。
【００５５】
例えば、同一の電話番号を重複して着信履歴記憶メモリ１３に登録するように設定されている場合、着信履歴記憶メモリ１３の着信履歴が所定件数になったときもしくはメモリ残量が少なくなったとき切替処理部１８が自動的に設定記憶メモリ１２を否にするよう設定を自動的に切り替えることができる。
【００５６】
発信履歴記憶メモリ２３についても発信履歴件数検出部やメモリ残量検出部を設ければ、設定記憶メモリ２２の可否の設定を同様にして自動切り替えすることができる。
【図面の簡単な説明】
【００５７】
【図１】本発明に係る通信端末装置の一実施形態を示す図で着信部の構成を示す図。
【図２】本発明の他の実施形態に係る通信端末装置を示す図で発信部の構成を示すブロック図。
【図３】図１の動作を説明するためのフローチャート。
【図４】図２の動作を説明するためのフローチャート。
【符号の説明】
【００５８】
１１    着信時相手電話番号一時記憶メモリ
１２    設定記憶メモリ
１３    着信履歴記憶メモリ
１４    相手電話番号記憶処理部
１５    相手電話番号解析処理部
１６    無線部
１７    電話番号比較処理部
１８    着信履歴用切替処理部
１９    着信履歴保存処理部
２１    発信時相手電話番号一時記憶メモリ
２２    設定記憶メモリ
２３    発信履歴記憶メモリ
２４    発信電話番号記憶処理部
２５    発信電話番号解析処理部
２６    発信操作処理部
２７    電話番号比較処理部
２８    発信履歴用切替処理部
２９    発信履歴保存処理部
３０    発信処理部
３１    無線部
【図１】
2008067417.tif 000003
【図２】
2008067417.tif 000004
【図３】
2008067417.tif 000005
【図４】
2008067417.tif 000006